(57)【特許請求の範囲】
【請求項１】
平面視多角形の有底筒状のセルが水平方向に複数配列されるとともに海上に浮くことが可能な複数の基礎ユニットを有し、該複数の基礎ユニットが水平方向に複数連結された基礎構造体を有する浮体式構造物の基礎構造の施工方法であって、
前記基礎ユニットの下部側を陸上で製作して海上に送り出す工程と、
海上に送り出された前記基礎ユニットの下部側の上端部にコンクリートを打設して前記基礎ユニットの上部側を製作する工程と、
下部側および上部側が製作された複数の前記基礎ユニットを海上で水平方向に連結して前記基礎構造体を形成する工程と、を有することを特徴とする浮体式構造物の基礎構造の施工方法。
【請求項２】
前記基礎構造体が水平方向および上下方向に複数連結されていて、
複数連結された前記基礎構造体は、平面視における外周部よりも中央部が上下方向に多くの基礎構造体が連結されていて下方に突出していることを特徴とする請求項１に記載の浮体式構造物の基礎構造の施工方法。
【請求項３】
前記基礎構造体の外周部には、内側に配置された前記基礎ユニットと連結されているとともに、隣接する前記基礎構造体と連結可能な連結部が設けられていることを特徴とする請求項１または２に記載の浮体式構造物の基礎構造の施工方法。
【発明の詳細な説明】
【技術分野】
【０００１】
本発明は、浮体式構造物の基礎構造の施工方法に関する。
【背景技術】
【０００２】
近年、海洋空間を有効に利用することができる浮体式構造物が提案されている（例えば、特許文献１および２参照）。最近では、浮体式構造物として高層建築物や超高層建築物などを構築するという海洋都市の構想もある。
このような浮体式構造物を施工する際には、浮体式構造物を構成する部材を陸上の製作ヤードで製作し、これらの部材を海上輸送して洋上にて連結している。
【先行技術文献】
【特許文献】
【０００３】
【特許文献１】特開２０１０−１０１０３３号公報
【特許文献２】特開２００８−０９５４１７号公報
【発明の概要】
【発明が解決しようとする課題】
【０００４】
ところで、大規模な浮体式構造物の場合、その基礎部は大規模となり、高強度を求められることになる。
また、大規模な浮体式構造では、その基礎部を陸上や沿岸の製作ヤードで一度に製作することが困難である。このため、大規模な浮体式構造物では、その基礎部を複数の部材に分けて製作し、これらの部材を海上輸送して洋上にて連結する必要がある。したがって、大規模な浮体式構造物の基礎部の施工は、工期およびコストがかかる傾向がある。
【０００５】
そこで、本発明は、所定の強度を有するとともに、効率よく施工できる浮体式構造物の基礎構造の施工方法を提供することを目的とする。
【課題を解決するための手段】
【０００７】
上記目的を達成するため、本発明に係る浮体式構造物の基礎構造の施工方法は、平面視多角形の有底筒状のセルが水平方向に複数配列されるとともに海上に浮くことが可能な複数の基礎ユニットを有し、該複数の基礎ユニットが水平方向に複数連結された基礎構造体を有する浮体式構造物の基礎構造の施工方法であって、前記基礎ユニットの下部側を陸上で製作して海上に送り出す工程と、海上に送り出された前記基礎ユニットの下部側の上端部にコンクリートを打設して前記基礎ユニットの上部側を製作する工程と、下部側および上部側が製作された複数の前記基礎ユニットを海上で水平方向に連結して前記基礎構造体を形成する工程と、を有することを特徴とする。
【０００８】
本発明では、基礎ユニットは、平面視多角形の有底筒状のセルが水平方向に複数配列されるとともに海上に浮くことが可能な形態であるため、軽量ながらも所定の強度を有する構造とすることができる。そして、浮体式構造物の基礎構造は、上記のような基礎ユニットが複数連結された基礎構造体を有するため、所定の強度を有する構造とすることができる。
また、基礎ユニットは平面視多角形の有底筒状のセルが水平方向に複数配列されている形態であるため、基礎ユニットおよび基礎構造体を軽量な部材とすることができる。これにより、基礎ユニットおよび基礎構造体を海上において容易に輸送することができるとともに、基礎ユニットどうしの連結も容易に行うことができる。
また、基礎ユニットは、セルの配列を調整することで容易に所望の形状に形成することができる。
また、セルは有底筒状であることにより、海上においてセルの内部に水を入れることができ、その水量を調整することで基礎ユニット（基礎構造体）の浮力を設定することができる。
また、本発明に係る浮体式構造物の基礎構造の施工方法は、基礎ユニットの下部側を陸上で製作して海上に送り出す工程と、海上に送り出された基礎ユニットの下部側の上端部にコンクリートを打設して基礎ユニットの上部側を製作する工程と、を有している。
このような構成とすることにより、陸上の製作ヤードで製作した基礎ユニットの下部側をこの基礎ユニットを設置する場所の近傍まで海上搬送し、この場所において基礎ユニットの上部側を製作できる。このため、基礎ユニット全体を製作ヤードで製作して海上搬送する場合と比べて基礎ユニットの海上輸送を容易に行うことができる。また、基礎ユニット全体を製作ヤードで製作する場合と比べて、製作ヤードを小規模とすることができ、コストを削減することができる。
【０００９】
また、本発明に係る浮体式構造物の基礎構造の施工方法では、前記基礎構造体が水平方向および上下方向に複数連結されていて、複数連結された前記基礎構造体は、平面視における外周部よりも中央部が上下方向に多くの基礎構造体が連結されていて下方に突出していることが好ましい。
このような構成とすることにより、複数連結された基礎構造体からなる基礎構造は、中央部が外周部よりも海中の深い位置へ達するため、海上に安定して浮くことができる。これにより、基礎構造の上部に構築される上部構造が高層建築物や超高層建築物である場合でも、基礎構造が上部構造を安定した状態で支持できる。
【００１０】
また、本発明に係る浮体式構造物の基礎構造の施工方法では、前記基礎構造体の外周部には、内側に配置された前記基礎ユニットと連結されているとともに、隣接する前記基礎構造体と連結可能な連結部が設けられていることが好ましい。
このような構成とすることにより、隣接する基礎構造体どうしを容易に連結することができる。
【発明の効果】
【００１２】
本発明によれば、所定の強度を有するとともに、効率よく施工できる。
【図面の簡単な説明】
【００１３】
【図１】本発明の実施形態による浮体式構造物の一例を示す立面図である。
【図２】浮体式構造物の基礎部を示す平面図である。
【図３】図２のＡ−Ａ線断面図である。
【図４】コア部を説明する平面図である。
【図５】（ａ）は基礎ユニットを示す平面図、（ｂ）は（ａ）の斜視図である。
【図６】連結された第１基礎ユニットを示す平面図である。
【図７】（ａ）はコア部の第１基礎構造体の施工方法を説明する図、（ｂ）はコア部の第２基礎構造体の施工方法を説明する図、（ｃ）はコア部の第３基礎構造体および第４基礎構造体の施工方法を説明する図である。
【図８】（ａ）は第１外周部の第１内側基礎構造体の施工方法を説明する図、（ｂ）は第１外周部の第１外側基礎構造体の施工方法を説明する図、（ｃ）は第１外周部の第２内側基礎構造体および第２外側基礎構造体の施工方法を説明する図、（ｄ）は第１外周部の第３内側基礎構造体および第３外側基礎構造体の施工方法を説明する図である。
【発明を実施するための形態】
【００１４】
以下、本発明の実施形態による浮体式構造物の基礎構造および浮体式構造物の基礎構造の施工方法について、図１乃至図８に基づいて説明する。
図１に示すように、本実施形態による浮体式構造物１は、海上に設けられていて、海上に浮く基礎部（基礎構造）２と、基礎部２に付帯する基礎付帯部３と、基礎部２の上部に構築された上部構造体４と、を有している。
基礎付帯部３は、例えば、基礎部２とともに浮力を受けたり、基礎部２を海上において安定した状態に維持したりするために設けられている。
上部構造体４は、タワー状の高層建築物や超高層建築物であり、住空間、オフィス空間、商業施設、公園等のレクリエーション施設等が設けられている。
【００１５】
図２に示すように、本実施形態では、基礎部２は、外周部２ａ側よりも中央部２ｂが下方に突出するように形成されている。
基礎部２は、平面視において中央部２ｂに配置されたコア部２１と、平面視においてコア部２１の外周部に沿った環状に形成された第１外周部２２と、平面視において第１外周部２２の外周部に沿った環状に形成された第２外周部２３と、を有している。
本実施形態には、コア部２１の上部に上部構造体４が構築されている。
【００１６】
コア部２１は、上下方向に連結された４つの基礎構造体２１１Ａ（２００）〜２１１Ｄ（２００）を有している。本実施形態では、４つの基礎構造体２１１Ａ〜２１１Ｄは、平面視形状が同じ略六角形状に形成されている。なお、図２では、省略して４つの基礎構造体２１１Ａ〜２１１Ｄの平面視形状を円形としている。
ここで、４つの基礎構造体２１１Ａ〜２１１Ｄのうち一番下に配置される基礎構造体を第１基礎構造体２１１Ａとし、その上に第２基礎構造体２１１Ｂ、第３基礎構造体２１１Ｃ，第４基礎構造体２１１Ｄの順に配置されているものとする。
図４に示すように、これらの４つの基礎構造体２１１Ａ〜２１１Ｄは、それぞれ水平方向に連結された複数の基礎ユニット５，５…と、連結された複数の基礎ユニット５，５…の外周を囲むように設けられて、第１外周部２２の内側基礎構造体２２１Ａ〜２２１Ｃが連結される連結部６と、を有している。そして、４つの基礎構造体２１１Ａ〜２１１Ｄは、それぞれ複数の基礎ユニット５，５…の外周に連結部６が設けられると、平面視が略六角形状となっている。
【００１７】
図５に示すように、複数の基礎ユニット５，５…は、それぞれ軸方向から見ると略六角形の筒状の壁部７１と、壁部７１の軸方向の一方側に設けられた底部７２とを有する有底筒状の複数のセル７，７…が同一面内に配列されたハニカム構造に形成されている。複数のセル７，７…は、筒状の壁部７１の軸線が上下方向に延び、底部７２が下側となる向きに配置されている。
このような複数の基礎ユニット５，５…は、例えば、フルプレキャストコンクリートなどで製作されている。また、複数の基礎ユニット５，５…は、それぞれ海上に浮くことが可能に構成されている。
本実施形態では、１つの基礎ユニット５を構成する複数のセル７，７…は、一体に形成されてハニカム構造を形成している。なお、１つの基礎ユニット５を構成する複数のセル７，７…は、個々に形成されて、連結されることでハニカム構造を構成していてもよい。
【００１８】
複数の基礎ユニット５，５…は、それぞれ有するセル７，７…の数と配列によって異なる形状に形成されている。
図４および図５に示すように、複数の基礎ユニット５，５…のうちの第１基礎ユニット５１は、１４のセル７，７…が同一平面に配列されていて、この平面における第１方向Ｘに４つのセル７，７…が配列され、この第１方向Ｘに配列された４つのセル７，７…の第１方向Ｘに直交する第２方向Ｙの一方側に第１方向Ｘに３つのセル７，７…が配列され、この第１方向Ｘに配列された３つのセル７，７…の第２方向Ｙの一方側に第１方向Ｘに４つのセル７，７…が配列され、この第１方向Ｘに配列された４つのセル７，７…の第２方向Ｙの一方側に第１方向Ｘに３つのセル７，７…が配列されている。
【００１９】
また、図４に示すように、複数の基礎ユニット５，５…のうちの第２基礎ユニット５２は、１１のセル７，７…が同一平面に配列されていて、第１方向Ｘに４つのセル７，７…が配列され、この第１方向Ｘに配列された４つのセル７，７…の第２方向Ｙの一方側に第１方向Ｘに３つのセル７，７…が配列され、この第１方向Ｘに配列された３つのセル７，７…の第２方向Ｙの一方側に第１方向Ｘに４つのセル７，７…が配列されている。
【００２０】
また、複数の基礎ユニット５，５…のうちの第３基礎ユニット５３は、１０のセル７，７…が同一平面に配列されていて、第１方向Ｘに３つのセル７，７…が配列され、この第１方向Ｘに配列された３つのセル７，７…の第２方向Ｙの一方側に第１方向Ｘに４つのセル７，７…が配列され、この第１方向Ｘに配列された４つのセル７，７…の第２方向Ｙの一方側に第１方向Ｘに３つのセル７，７…が配列されている。
【００２１】
そして、本実施形態では、図６に示すように、６つの第１基礎ユニット５１，５１…が第１方向Ｘに２つずつ、第２方向Ｙに３つずつ配列されて連結されている。なお、第１方向Ｘの一方側に配置される３つの第１基礎ユニット５１，５１，５１に対して、第１方向Ｘの他方側に配置される３つの第１基礎ユニット５１は、それぞれ水平面内において１８０℃回転した向きに配置されている。そして、６つの第１基礎ユニット５１，５１…は、隣り合う第１基礎ユニット５１，５１間に空間が形成されないように連結されている。
それぞれ連結される第１基礎ユニット５１，５１は、それぞれの隣り合うセル７，７の壁部７１，７１どうし、および底部７２，７２どうしが例えばＰＣ鋼材などで連結されていて、これらの壁部７１，７１間および底部７２，７２間にグラウト材が充填されている。なお、第１基礎ユニット５１以外の基礎ユニット５，５どうしの連結についても、第１基礎ユニット５１，５１どうしの連結と同様に、例えばＰＣ鋼材やグラウト材などが用いられている。
【００２２】
図４に戻り、配列された６つの第１基礎ユニット５１，５１…の第２方向Ｙの一方側には、１つの第２基礎ユニット５２および１つの第３基礎ユニット５３が第１方向Ｘに並んだ状態で連結されている。また、第２基礎ユニット５２と第３基礎ユニット５３とも連結されている。
これらの６つの第１基礎ユニット５１，５１…、１つの第２基礎ユニット５２および１つの第３基礎ユニット５３が連結されると、その平面視における外形が略矩形となっている。
【００２３】
また、これらの連結された６つの第１基礎ユニット５１，５１…、１つの第２基礎ユニット５２および１つの第３基礎ユニット５３には、第１方向Ｘの両側に第１〜第３基礎ユニット５１，５２，５３とは異なる他の基礎ユニット５４，５４…が連結されている。そして、これらの複数の基礎ユニット５１〜５４が連結されると、その平面視における外形が略六角形となっている。
なお、これらの複数の基礎ユニット５１〜５４が連結されて構成する平面視形状に応じて、第１〜第３基礎ユニット５１，５２，５３以外の複数の基礎ユニット５４，５４…の一部には１つのセル７のみから構成される基礎ユニット５４が含まれていてもよい。
【００２４】
連結部６は、上記のように連結された複数の基礎ユニット５１〜５４の外周全体に沿うように配列された複数のセル７，７…を有している。連結部６と基礎ユニット５との連結には、基礎ユニット５，５どうしの連結と同様に、例えばＰＣ鋼材やグラウト材などが用いられている。
また、連結部６には、連結される他の基礎構造体２００の連結部６と連結されるためのＰＣ鋼材などの連結手段が設けられていてもよい。
【００２５】
図２および図３に戻り、第１外周部２２は、基礎部２の中央部２ｂ側に配置され上下方向に連結された３つの内側基礎構造体２２１Ａ（２００）〜２２１Ｃ（２００）と、これらの内側基礎構造体２２１Ａ〜２２１Ｃよりも基礎部の外周部２ａ側に配置され上下方向に連結された３つの外側基礎構造体２２２Ａ（２００）〜２２２Ｃ（２００）と、を有している。内側基礎構造体２２１Ａ〜２２１Ｃと、外側基礎構造体２２２Ａ〜２２２Ｃとは連結されている。
ここで、３つの内側基礎構造体２２１Ａ〜２２１Ｃのうち一番下に配置される基礎構造体を第１内側基礎構造体２２１Ａとし、その上に第２内側基礎構造体２２１Ｂ、第３内側基礎構造体２２１Ｃの順に配置されているものとする。また、３つの外側基礎構造体２２２Ａ〜２２２Ｃのうち一番下に配置される基礎構造体を第１外側基礎構造体２２２Ａとし、その上に第２外側基礎構造体２２２Ｂ、第３外側基礎構造体２２２Ｃの順に配置されているものとする。
【００２６】
これらの内側基礎構造体２２１Ａ〜２２１Ｃおよび外側基礎構造体２２２Ａ〜２２２Ｃは、図４に示すコア部２１の基礎構造体２１１Ａ〜２１１Ｄと同様に、それぞれ水平方向に連結された複数の基礎ユニット５，５…と、連結された複数の基礎ユニット５，５…の外周を囲むように設けられて、他の基礎構造体２００が連結される連結部６と、を有している。
【００２７】
内側基礎構造体２２１Ａ〜２２１Ｃおよび外側基礎構造体２２２Ａ〜２２２Ｃの基礎ユニット５，５…は、コア部２１の基礎構造体２１１Ａ〜２１１Ｄの基礎ユニット５と同様の複数のセル７，７…を有するハニカム構造に形成されている。なお、内側基礎構造体２２１Ａ〜２２１Ｃおよび外側基礎構造体２２２Ａ〜２２２Ｃの基礎ユニット５のセル７，７…の数や配列は、それぞれ内側基礎構造体２２１Ａ〜２２１Ｃおよび外側基礎構造体２２２Ａ〜２２２Ｃを構成可能な数や配列に設計されている。
【００２８】
第２外周部２３は、基礎部２の中央部２ｂ側に配置された内側基礎構造体２３１（２００）と、内側基礎構造体２３１よりも基礎部２の外周部２ａ側に配置された中間基礎構造体２３２（２００）と、中間基礎構造体２３２よりも基礎部２の外周部２ａ側に配置された外側基礎構造体２３３（２００）と、を有している。内側基礎構造体２３１と中間基礎構造体２３２とが連結されていて、中間基礎構造体２３２と外側基礎構造体２３３とが連結されている。
【００２９】
これらの内側基礎構造体２３１、中間基礎構造体２３２および外側基礎構造体２３３は、図４に示すコア部２１の基礎構造体２１１Ａ〜２１１Ｄと同様に、それぞれ水平方向に連結された複数の基礎ユニット５，５…と、連結された複数の基礎ユニット５，５…の外周を囲むように設けられて、他の基礎構造体２００が連結される連結部６と、を有している。
【００３０】
内側基礎構造体２３１、中間基礎構造体２３２および外側基礎構造体２３３の基礎ユニット５，５…は、コア部２１の基礎構造体２１１Ａ〜２１１Ｄの基礎ユニット５と同様の複数のセル７，７…を有する構造に形成されている。なお、内側基礎構造体２３１、中間基礎構造体２３２および外側基礎構造体２３３の基礎ユニット５のセル７，７…の数や配列は、それぞれ内側基礎構造体２３１、中間基礎構造体２３２および外側基礎構造体２３３を構成可能な数や配列に設計されている。
【００３１】
続いて、本実施形態による浮体式構造物１の基礎部２の施工方法について説明する。
まず、基礎ユニット５，５…の製作を行う。
図５（ｂ）に示すセル７の底部７２側となる基礎ユニット５の下部側５Ａを陸上または、海岸沿いに設けられた製作ヤードで製作し、製作された基礎ユニット５の下部側５Ａを海上に送り出す。
続いて、洋上にて基礎ユニット５の下部側５Ａの上部に、基礎ユニット５の上部側５Ｂのコンクリートを打設する。本実施形態では、基礎ユニット５の上部側５Ｂのコンクリートは、下側から上側に向かって段階的に打設している。そして、所定の高さ寸法の基礎ユニット５を製作する。
また、連結部６の製作を行う。連結部６の製作についても基礎ユニット５，５…の製作と同様に連結部６の下部側を製作ヤードで製作し、製作された連結部６の下部側を海上に送り出して、海上にて連結部６の上部側にコンクリート打設し、所定の高さ寸法の連結部６を製作する。
【００３２】
続いて、コア部２１を構築する。
まず、図７（ａ）に示すように、基礎ユニット５，５…および連結部６を連結してコア部２１の第１基礎構造体２１１Ａを構築する。
続いて、基礎ユニット５，５…および連結部６を連結して、コア部２１の第２基礎構造体２１１Ｂを構築する。そして、図７（ｂ）に示すように、第２基礎構造体２１１Ｂを第１基礎構造体２１１Ａの上部に連結する。
【００３３】
続いて、図７（ｃ）に示すように、基礎ユニット５，５…および連結部６を連結してコア部２１の第３基礎構造体２１１Ｃを構築する。そして、第３基礎構造体２１１Ｃを第２基礎構造体２１１Ｂの上部に連結する。
続いて、基礎ユニット５，５…および連結部６を連結してコア部２１の第４基礎構造体２１１Ｄを構築する。そして、第４基礎構造体２１１Ｄを第３基礎構造体２１１Ｃの上部に連結する。
これによりコア部２１が構築される。なお、コア部２１は、第４基礎構造体２１１Ｄの上面が海面近傍に配置される。
【００３４】
続いて、第１外周部２２を構築する。
まず、図８（ａ）に示すように、基礎ユニット５，５…および連結部６を連結して第１外周部２２の第１内側基礎構造体２２１Ａを構築する。そして、この第１内側基礎構造体２２１Ａをコア部２１の基礎構造体２１１Ａ〜２１１Ｄと上下方向に相対移動可能に連結する。
続いて、図８（ｂ）に示すように、基礎ユニット５，５…および連結部６を連結して第１外周部２２の第１外側基礎構造体２２２Ａを構築する。そして、この第１外側基礎構造体２２２Ａを第１内側基礎構造体２２１Ａと連結する。なお、第１内側基礎構造体２２１Ａと第１外側基礎構造体２２２Ａとは上下方向および水平方向に相対移動しないように連結する。
【００３５】
続いて、基礎ユニット５，５…および連結部６を連結して、第１外周部２２の第２内側基礎構造体２２１Ｂと、第１外周部２２の第２外側基礎構造体２２２Ｂを構築する。そして、これらの第２内側基礎構造体２２１Ｂと第２外側基礎構造体２２２Ｂとを連結する。
そして、連結された第２内側基礎構造体２２１Ｂと第２外側基礎構造体２２２Ｂを、第１内側基礎構造体２２１Ａと第１外側基礎構造体２２２Ａの上に連結する。このとき、第２内側基礎構造体２２１Ｂをコア部２１の基礎構造体２１１Ａ〜２１１Ｄと上下方向に相対移動可能に連結する。
【００３６】
同様にして、第１外周部２２の第３内側基礎構造体２２１Ｃ、および第３外側基礎構造体２２２Ｃを構築する。そして、これらの第３内側基礎構造体２２１Ｃと第３外側基礎構造体２２２Ｃとを連結するとともに、連結された第３内側基礎構造体２２１Ｃおよび第３外側基礎構造体２２２Ｃを、第２内側基礎構造体２２１Ｂおよび第２外側基礎構造体２２２Ｂの上部に連結する。
これにより第１外周部２２が構築される。なお、第１外周部２２は、第３内側基礎構造体２２１Ｃおよび第３外側基礎構造体２２２Ｃの上面が海面近傍に配置される。
【００３７】
続いて、第２外周部２３を構築する。
まず、図３に示すように、基礎ユニット５，５…および連結部６を連結して第２外周部２３の内側基礎構造体２３１を構築し、この内側基礎構造体２３１を第１外周部２２の外側基礎構造体２２２と連結する。
続いて、基礎ユニット５，５…および連結部６を連結して第２外周部２３の中間基礎構造体２３２を構築し、この中間基礎構造体２３２を内側基礎構造体２３１と連結する。
続いて、基礎ユニット５，５…および連結部６を連結して第２外周部２３の外側基礎構造体２３３を構築し、この外側基礎構造体２３３を中間基礎構造体２３２と連結する。
これにより第２外周部２３が構築される。なお、第２外周部２３は、内側基礎構造体２３１、中間基礎構造体２３２および外側基礎構造体２３３の上面が海面近傍に配置される。
このようにして、浮体式構造物１の基礎部２が構築される。
【００３８】
次に、上述した浮体式構造物１の基礎構造の作用・効果について図面を用いて説明する。
上述した本実施形態による浮体式構造物１の基礎構造では、基礎ユニット５，５…は、平面視六角形の有底筒状のセル７，７…が水平方向に複数配列されたハニカム構造であるため、軽量ながらも所定の強度を有する構造とすることができる。そして、基礎部２は、上記のような基礎ユニット５，５…が複数連結された基礎構造体２００を有するため、所定の強度を有する構造とすることができる。
また、基礎ユニット５，５…はハニカム構造であるため、基礎ユニット５および基礎構造体２００を軽量な部材とすることができる。これにより、基礎ユニット５，５…および基礎構造体２００を海上において容易に輸送することができるとともに、基礎ユニット５，どうしの連結も容易に行うことができる。
また、基礎ユニット５は、セル７，７…の配列を調整することで容易に所望の形状に形成することができる。
また、セル７は有底筒状であることにより、海上においてセル７の内部に水を入れることができ、その水量を調整することで基礎ユニット５（基礎構造体２００）の浮力を設定することができる。
【００３９】
また、基礎部２は、コア部２１が第１外周部２２よりも上下方向の寸法が大きく、第１外周部２２が第２外周部２３よりも上下方向の寸法が大きくコア部２１が第１外周部２２および第２外周部２３よりも下方に突出する形状である。これにより、基礎部２は、中央部２ｂのコア部２１が外周部２ａ側の第１外周部２２および第２外周部２３よりも海中の深い位置へ達するため、海上に安定して浮くことができる。これにより、基礎部２の上部に構築される上部構造体４が高層建築物や超高層建築物である場合でも、基礎部２が上部構造体４を安定した状態で支持できる。
また、基礎構造体２００は、上下方向および水平方向に連結可能に構成されていることにより、大規模な基礎部２の場合でも、基礎構造体２００を上下方向および水平方向に連結させることで、容易に施工することができる。
【００４０】
また、基礎ユニット５，５…は、下部側５Ａが製作ヤードで製作され、上部側が海上でコンクリートを打設して製作されている。これにより、製作ヤードで製作した基礎ユニット５の下部側５Ａを基礎ユニット５を設置する場所の近傍まで海上搬送し、この場所において基礎ユニット５の上部側５Ｂを製作できる。このため、基礎ユニット５全体を製作ヤードで製作して海上搬送する場合と比べて基礎ユニット５の海上輸送を容易に行うことができる。また、基礎ユニット５全体を製作ヤードで製作する場合と比べて、製作ヤードを小規模とすることができ、コストを削減することができる。
【００４１】
以上、本発明による浮体式構造物の基礎構造および浮体式構造物の基礎構造の施工方法の実施形態について説明したが、本発明は上記の実施形態に限定されるものではなく、その趣旨を逸脱しない範囲で適宜変更可能である。
例えば、上記の実施形態では、セル７，７…は平面視六角形の有底筒状に形成されているが、平面視六角形以外の例えば平面視三角形や四角形などの平面視多角形の有底筒状に形成されていてもよい。
【００４２】
また、上記の実施形態では、基礎部２は、コア部２１、第１外周部２２および第２外周部２３から構成されているが、このような構成でなくてもよい。基礎部２は、平面形状や高さ寸法に合わせて、複数の基礎ユニット５，５…および連結部６が連結された基礎構造体２００，２００…が組み合わされて構成されていればよい。
また、上記の実施形態では、基礎構造体２００は、基礎ユニット５，５…と連結部６とを有しているが、連結部６を有さないで、基礎ユニット５の外周部に他の基礎構造体２００の基礎ユニット５が連結される構成であってもよい。
【００４３】
また、上記の実施形態では、基礎部２は、中央部２ｂのコア部２１が外周部２ａ側の第１外周部２２および第２外周部２３よりも下方に突出しているが、コア部２１、第１外周部２２および第２外周部２３それぞれの下面が平坦となるように構築されていてもよい。基礎部２の形状や寸法は任意に設定されてよい。
また、基礎部２は、１つの基礎構造体２００のみで構成されていてもよい。
また、上記の実施形態では、基礎部２の上部に上部構造体４が構築されているが、構築されていなくてもよい。また、上部構造体４が構築される場合は、上部構造体４は所望の形状としてよい。
また、上記の実施形態では、基礎部２に基礎付帯部３が設置されているが、設置されていなくてもよい。また、基礎部２に基礎付帯部３が設置される場合は、基礎付帯部３は所望の形状としてもよい。
【００４４】
また、上記の実施形態では、基礎ユニット５，５…は、下部側５Ａが製作ヤードで製作され、上部側５Ｂが洋上で製作されているが、すべてを製作ヤードで製作してもよい。基礎ユニット５，５…は任意の施工方法で製作されてよい。
また、上記の実施形態では、隣り合う基礎ユニット５，５どうし、および隣り合う基礎構造体２００，２００どうしは、ＰＣ鋼材で連結されて、隣り合う基礎ユニット５，５の間隔にグラウト材が充填されているが、ボルト接合など他の連結方法で連結されていてもよい。
【符号の説明】
【００４５】
１  浮体式構造物
２  基礎部（基礎構造）
２ａ  外周部
２ｂ  中央部
３  基礎付帯部
４  上部構造体
５  基礎ユニット
５Ａ  下部側
５Ｂ  上部側
６  連結部
７  セル
２１  コア部
２２  第１外周部
２３  第２外周部
２００，２１１Ａ〜２１１Ｄ  基礎構造体
２２１Ａ〜２２１Ｃ  内側基礎構造体（基礎構造体）
２２２Ａ〜２２２Ｃ  外側基礎構造体（基礎構造体）
２３１  内側基礎構造体（基礎構造体）
２３２  中間基礎構造体（基礎構造体）
２３３  外側基礎構造体（基礎構造体）
【図１】
0006512427.tif 000002
【図２】
0006512427.tif 000003
【図３】
0006512427.tif 000004
【図４】
0006512427.tif 000005
【図５】
0006512427.tif 000006
【図６】
0006512427.tif 000007
【図７】
0006512427.tif 000008
【図８】
0006512427.tif 000009